(57)【要約】      （修正有）【課題】構造物に対する止水層の形成を容易且つ安価に行うことができる止水材注入ノズルを提供する。【解決手段】止水材が通過する流路１４、および、流路を横断する取付孔１５が形成されたノズル本体１０と、取付孔に挿入される閉止部材２０とを備え、閉止部材には、取付孔への挿入方向と直交する方向に貫通する連通孔２３が形成されている。流路が連通孔を介して連通した状態から閉止部材を回動させることにより、閉止部材の外周面で流路を遮断することができる。【選択図】図２
0003199916.tif 000002
【実用新案登録請求の範囲】
【請求項１】
止水材が通過する流路、および、前記流路を横断する取付孔が形成されたノズル本体と、前記取付孔に挿入される閉止部材とを備え、
前記閉止部材は、前記取付孔への挿入方向と直交する方向に貫通する連通孔が形成されており、前記流路が前記連通孔を介して連通した状態から前記閉止部材を回動させることにより、前記閉止部材の外周面で前記流路を遮断する止水材注入ノズル。
【請求項２】
止水材が通過する流路、および、前記流路を横断する取付孔が形成されたノズル本体と、  前記取付孔に挿入される閉止部材とを備え、
前記閉止部材は、前記取付孔への挿入方向と直交する方向に貫通する連通孔が形成されており、前記流路が前記連通孔を介して連通した状態から前記閉止部材を前記取付孔に沿って移動させることにより、前記閉止部材の外周面で前記流路を遮断する止水材注入ノズル。
【請求項３】
請求項１または２に記載の止水材注入ノズルが、注入管を介して二液混合装置に接続された止水装置。
【考案の詳細な説明】
【技術分野】
【０００１】
本考案は、止水材注入ノズルおよび止水装置に関する。
【背景技術】
【０００２】
コンクリート構造物の漏水欠陥部の背後に止水層を形成するため、特許文献１には、擁壁の背後に導引装置により負圧をかけながら、止水材注入装置により止水材を注入し、止水材の硬化により止水層を形成する工法が開示されている。止水材注入装置は、擁壁に形成した注入孔に打ち込まれる注入ノズルを備えている。
【０００３】
ところが、上記従来の注入ノズルは、注入した止水材が硬化するまで逆流を防止するために、チェックバルブを設ける必要があることから、部品点数が増加するだけでなく、止水材注入時の圧力損失が大きくなるおそれがあり、施工をより簡便に行うことが望まれていた。
【先行技術文献】
【特許文献】
【０００４】
【特許文献１】実用新案登録第３０６６６０９号公報
【考案の概要】
【考案が解決しようとする課題】
【０００５】
そこで、本考案は、構造物に対する止水層の形成を容易且つ安価に行うことができる止水材注入ノズルおよび止水装置の提供を目的とする。
【課題を解決するための手段】
【０００６】
本考案の前記目的は、止水材が通過する流路、および、前記流路を横断する取付孔が形成されたノズル本体と、前記取付孔に挿入される閉止部材とを備え、前記閉止部材は、前記取付孔への挿入方向と直交する方向に貫通する連通孔が形成されており、前記流路が前記連通孔を介して連通した状態から前記閉止部材を回動または移動させることにより、前記閉止部材の外周面で前記流路を遮断する止水材注入ノズルにより達成される。
【０００７】
また、本考案の前記目的は、上記の止水材注入ノズルが、注入管を介して二液混合装置に接続された止水装置により達成される。
【考案の効果】
【０００８】
本考案によれば、構造物に対する止水層の形成を容易且つ安価に行うことができる止水材注入ノズルおよび止水装置を提供することができる。
【図面の簡単な説明】
【０００９】
【図１】本考案の一実施形態に係る止水材注入ノズルの平面図である。
【図２】図１のＡ−Ａ断面図である。
【図３】図２に示す止水材注入ノズルの作動後の状態を示す断面図である。
【図４】本考案の一実施形態に係る止水装置の概略構成図である。
【図５】本考案の他の実施形態に係る止水材注入ノズルの平面図である。
【図６】図５のＢ−Ｂ断面図である。
【図７】図６に示す止水材注入ノズルの作動後の状態を示す断面図である。
【考案を実施するための形態】
【００１０】
以下、本考案の一実施形態について添付図面を参照しつつ説明する。図１は、本考案の一実施形態に係る止水材注入ノズルの平面図であり、図２は、図１のＡ−Ａ断面図である。図１および図２に示すように、止水材注入ノズル１は、ノズル本体１０および閉止部材２０を備えており、合成樹脂等から形成されている。
【００１１】
ノズル本体１０は、基部１２からそれぞれ異なる方向に突出する注入部１２および接続部１３を備えており、ノズル本体１０の内部には、流路１４および取付孔１５が形成されている。流路１４は、両端部がそれぞれ注入部１２および接続部１３の先端に開口しており、接続部１３から導入された止水材が流路１４を通過して、注入部１２から吐出する。取付孔１５は、断面円形の貫通孔であり、流路１４の途中を横断するように形成されている。
【００１２】
閉止部材２０は、平面視矩形状の頭部２１と、頭部２１から垂下する円柱状の本体２２とを備えており、本体２２がノズル本体１０の取付孔１５に挿入される。本体２２の外周面は取付孔１５に密着しており、頭部２１を図１の矢示方向に回動させることにより、本体２２が取付孔１５の内周面に沿って摺動する。頭部２１の長手方向両側は、本体２２から突出しており、この突出部がノズル本体１０の表面に係止される。本体２２には径方向（すなわち、取付孔１５への挿入方向と直交する方向）に貫通する連通孔２３が形成されており、図２に示すように、連通孔２３をノズル本体１０の流路１４に一致させることにより、流路１４が連通孔２３を介して連通した状態にすることができる。
【００１３】
上記の構成を備える止水材注入ノズル１は、閉止部材２０を図１の矢示方向に約９０°回動させることにより、流路１４は、図３に示すように、閉止部材２０の本体２２の外周面により遮断される。
【００１４】
図４は、止水材注入ノズル１を備える止水装置５０の概略構成図である。図４に示すように、止水装置５０は、止水材注入ノズル１が注入管３１を介して二液混合装置３０に接続されて構成されている。二液混合装置３０は、主剤タンク３２および硬化剤タンク３３が接続されており、主剤タンク３２および硬化剤タンク３３から供給された主剤および硬化剤を混合して止水材を形成し、注入管３１を介して止水材注入ノズル１から吐出することができる。
【００１５】
止水材注入ノズル１は、従来の注入用ノズルと同様に、コンクリート擁壁等に形成した穿孔に打ち込んだ後、図４に示す注入管３１を接続することにより、コンクリート擁壁の背面に止水材を注入することができる。そして、止水材の注入後は、図３に示すように閉止部材２０を回動させることにより、注入した硬化前の止水材が逆流するのを確実に防止することができる。本実施形態の止水材注入ノズル１は、従来の注入用ノズルのようにチェック弁を設ける必要がないので、構成を簡素化できると共に、止水材のスムーズな注入が可能である。
【００１６】
以上、本考案の一実施形態について詳述したが、本考案の具体的な態様は上記実施形態には限定されない。例えば、本実施形態においては、閉止部材２０をノズル本体１０に対して回動させることにより、ノズル本体１０の流路１４を遮断するように構成しているが、図５および図６に示すように、閉止部材２０をノズル本体１０に対して移動させることによって、流路１４を遮断することも可能である。図５は、本考案の他の実施形態に係る止水材注入ノズルの平面図であり、図６は、図５のＢ−Ｂ断面図である。図５および図６において、図１および図２と同様の構成部分には同一の符号を付している。
【００１７】
図５および図６に示す止水材注入ノズル１’は、ノズル本体１０において流路１４を横断する取付孔１５に、閉止部材２０’の本体２２’が密着状態で嵌合している。本体２２’は、径方向に貫通する連通孔２３’が流路１４に一致するように保持されており、閉止部材２０の円形状の頭部２１’を図６の矢示方向にハンマー等で打設することにより、閉止部材２０が取付孔１５に沿って移動し、図７に示すように、頭部２１’がノズル本体１０の表面に係止される。これにより、連通孔２３’と流路１４との位置ずれが生じて、流路１４が本体２２’の外周面により遮断される。
【符号の説明】
【００１８】
１  止水材注入ノズル
１０  ノズル本体
１４  流路
１５  取付孔
２０  閉止部材
２３  連通孔
３０  二液混合装置
３１  注入管
５０  止水装置
【図１】
0003199916.tif 000003
【図２】
0003199916.tif 000004
【図３】
0003199916.tif 000005
【図４】
0003199916.tif 000006
【図５】
0003199916.tif 000007
【図６】
0003199916.tif 000008
【図７】
0003199916.tif 000009